(57)【特許請求の範囲】
【請求項１】
リモートコントロールアッセンブリであって、該リモートコントロールアッセンブリは、
その長さに沿って長手方向軸線を有し、内部を画定するシースと、
前記内部に配置されていて、前記シースに連結されたライナと、
外面を有するワイヤであって、該ワイヤは、前記シースと前記ライナとの間に配置されていて、前記シースおよび前記ライナに連結されているワイヤと、を有しており、
前記ワイヤの前記外面は複数のノッチを画定しており、該複数のノッチは、第１のノッチグループと第２のノッチグループとに分けられていて、前記第１のノッチグループと前記第２のノッチグループのそれぞれにおける各ノッチは、実質的に前記長手方向軸線に沿ってこれら各ノッチ間に第１の距離を画定しており、前記第１のノッチグループと前記第２のノッチグループとは、これらグループの間に第２の距離を画定していて、前記第２の距離は前記第１の距離よりも長く
前記ノッチの内面と前記ワイヤの外面との交差部は直角である、リモートコントロールアッセンブリ。
【請求項２】
前記ワイヤは、実質的に前記長手方向軸線に沿って所定の長さを有していて、該長さに沿って前記長手方向軸線を中心として実質的にまっすぐである、請求項１記載のリモートコントロールアッセンブリ。
【請求項３】
前記ライナは外側面を有しており、前記ワイヤは、前記長手方向軸線を中心として前記外側面のまわりに螺旋状に巻き付いている、請求項１または２記載のリモートコントロールアッセンブリ。
【請求項４】
前記第１のノッチグループは、第１ノッチ列と、前記ワイヤの前記外面に沿って前記第１ノッチ列から間隔を置いて位置する第２ノッチ列と、を有している、請求項１から３までのいずれか１項記載のリモートコントロールアッセンブリ。
【請求項５】
前記第１ノッチ列の前記ノッチはそれぞれ、前記長手方向軸線に沿って互いに等間隔を置いて位置している、請求項４記載のリモートコントロールアッセンブリ。
【請求項６】
前記第２ノッチ列の前記ノッチはそれぞれ、前記長手方向軸線に沿って互いに等間隔を置いて位置している、請求項４または５記載のリモートコントロールアッセンブリ。
【請求項７】
前記ワイヤの前記外面のまわりで、前記第１ノッチ列は前記第２ノッチ列から１８０度の間隔を置いて位置している、請求項４から６までのいずれか１項記載のリモートコントロールアッセンブリ。
【請求項８】
前記第１ノッチ列の各ノッチは、前記長手方向軸線に関して、前記長手方向軸線に沿って、前記第２ノッチ列の各ノッチからずらされて位置している、請求項４から７までのいずれか１項記載のリモートコントロールアッセンブリ。
【請求項９】
前記第１ノッチ列の少なくとも１つのノッチは、前記第２ノッチ列の少なくとも２つのノッチの間に位置している、請求項４から８までのいずれか１項記載のリモートコントロールアッセンブリ。
【請求項１０】
前記シースの一部は、前記複数のノッチ内に位置している、請求項１から９までのいずれか１項記載のリモートコントロールアッセンブリ。
【請求項１１】
前記ノッチは、複数の刻み目を画定する内面を有しており、前記シースは前記刻み目を完全に埋めている、請求項１から１０までのいずれか１項記載のリモートコントロールアッセンブリ。
【請求項１２】
前記ノッチは内面を有しており、該内面と前記ワイヤの前記外面の交差部が、楕円形の外周を形成している、または隆起部を形成し、画定している、請求項１から１１までのいずれか１項記載のリモートコントロールアッセンブリ。
【請求項１３】
前記ノッチは全て、前記外面の下側に形成されている、請求項１から１２までのいずれか１項記載のリモートコントロールアッセンブリ。
【請求項１４】
前記ライナはポリテトラフルオロエチレンまたは高密度ポリエチレンを含んでいて、前記シースはナイロンまたはポリアミドナイロンを含んでいる、請求項１から１３までのいずれか１項記載のリモートコントロールアッセンブリ。
【請求項１５】
コアエレメントをさらに有しており、前記ライナは開口を画定しており、前記コアエレメントは、前記長手方向軸線に沿って前記ライナの前記開口内に可動に配置されている、請求項１から１４までのいずれか１項記載のリモートコントロールアッセンブリ。
【発明の詳細な説明】
【技術分野】
【０００１】
発明の背景
１．発明の分野
本発明は、概して、リモートコントロールアッセンブリに関する。
【０００２】
２．従来技術の説明
多くの用途のために、様々なリモートコントロールアッセンブリが開発されている。リモートコントロールアッセンブリの典型的な使用は、オートマチックトランスミッション、加速装置、クラッチ、クルーズコントロール、ＨＶＡＣ通気口等のコントロールのような自動車における利用を含むが、これに限定されるものではない。これらの用途の多くは、コンジット内に摺動可能に配置されたフレキシブルな伝達コアエレメントによる、湾曲した経路内の動きの伝達を含む。これらのコンジットは通常、ライナ、シース、およびライナのまわりでシースを補強するための少なくとも１つのワイヤを含む。
【０００３】
リモートコントロールアッセンブリの通常運転中、ワイヤは互いに対して、そしてシースやライナに対して動く。ワイヤの現在の設計は、ワイヤの移動および／またはシースの移動を減少させるが、完全に低減させることはできない。さらにワイヤの現在の設計は、ワイヤがシースに対して動くとき、ワイヤがシースおよび／またはライナを変形させる場合がある。
【０００４】
したがって、互いに対する、そしてシースやライナに対するワイヤの動きをさらに低減させるワイヤを設計する動機が残っている。さらに、シースおよび／またはライナの変形をなくすワイヤを設計する動機も残っている。
【０００５】
発明の概要および利点
リモートコントロールアッセンブリは、その長さに沿って長手方向軸線を有し、内部を画定するシースを含む。ライナは、前記内部に配置されていて、前記シースに連結されている。ワイヤは、外面を有していて、シースとライナとの間に配置されていて、シースとライナとに連結されている。ワイヤの外面が複数のノッチを画定しており、該複数のノッチは、第１のノッチグループと、第２のノッチグループとに分けられている。第１のグループおよび第２のグループのそれぞれにおける各ノッチは、実質的に長手方向軸線に沿ってこれら各ノッチの間に第１の距離を画定している。第１のノッチグループおよび第２のノッチグループは、これらグループの間に第２の距離を画定している。この第２の距離は、第１の距離よりも大きい。
【０００６】
図面の簡単な説明
本発明は、添付の図面に関連して考慮される以下の詳細な説明を参照することによりさらによく理解されるので、本発明のその他の利点は容易に認められるであろう。
【図面の簡単な説明】
【０００７】
【図１】リモートコントロールアッセンブリの断片化された側面図である。
【図２】部分的に断面図で示されたシースを有したリモートコントロールアッセンブリの断片化された側面図である。
【図３】図２に示したリモートコントロールアッセンブリの一部を拡大して示す断片化された側面図である。
【図４】シースの一部が除去されたコンジットの断片化された斜視図である。
【図５】コンジットの正面の断面図である。
【図６】コンジットのワイヤであって、ノッチを画定するワイヤの断片化された平面図である。
【図７】コンジットのワイヤであって、ノッチを画定するワイヤの断片化された側面図である。
【図８】図６の円で囲んで示したワイヤの部分を拡大して示す断片化された平面図である。
【図９】図７の円で囲んで示したワイヤの部分を拡大して示す断片化された側面図である。
【図９Ａ】ノッチ内に配置されたシースの一部を含む図９で示したワイヤを拡大して示す断片化された側面図である。
【図１０】図３に示したリモートコントロールアッセンブリの一部を拡大して示す断片化された側面図である。
【図１１】ノッチ内に刻み目を画定するワイヤの別の実施形態を示す断片化された側面図である。
【図１２】ノッチ内に配置されたシースの一部を含む図１１で示したワイヤを拡大して示す断片化された側面図である。
【０００８】
発明の詳細な説明
同じ参照符号が複数の図面を通じて同じ部分を示している図面を参照すると、リモートコントロールアッセンブリ２０が図１において示されている。リモートコントロールアッセンブリの典型的な使用は、オートマチックトランスミッション、加速装置、クラッチ、クルーズコントロール、ＨＶＡＣ通気口等のコントロールのような自動車における利用を含むが、これに限定されるものではない。
【０００９】
図１〜図３により最もよく示されているように、リモートコントロールアッセンブリ２０は、内部を画定するシース２２を有している。シース２２は、外面２４と、長さ２６と、長さ２６に沿って延在する長手方向軸線Ａとを有している。シース２２は有機ポリマ材料から成る。シース２２用の適切な有機ポリマ材料の例は、ナイロンまたはポリアミドナイロンを含むが、これに限定されるものではない。
【００１０】
リモートコントロールアッセンブリ２０は付加的に、シース２２の内部に配置されて、シース２２に連結されているライナ２８を含む。ライナ２８は外側面３０を有していて、開口を画定している。ライナ２８は有機ポリマ材料から成る。ライナ２８用の適切な有機ポリマ材料の例は、ポリテトラフルオロエチレンまたは高密度ポリエチレンを含むが、これに限定されるものではない。しかしながら、以下にさらに詳しく説明するように、柔軟性を保証し、低摩擦支持を提供するために、別の適切な材料をライナ２８のために使用してもよい。
【００１１】
リモートコントロールアッセンブリ２０は付加的に、ライナ２８の開口内に配置されている可動のコアエレメント３２を含む。コアエレメント３２は、長手方向軸線Ａに沿って動きを伝達する。コアエレメント３２は様々な形状を有していてもよいが、図面では金属ワイヤエレメントとして示されている。この金属ワイヤエレメントは、コントロール部材に取り付けることができ、コントロール部材との間で動きを伝達する。ライナ２８は、上述したように、コアエレメント３２がライナ内で摺動可能に動くことができるように柔軟性と低摩擦支持を保証する。
【００１２】
リモートコントロールアッセンブリ２０は付加的に、所定の長さと外面３６とを有した少なくとも１つのワイヤ３４を有している。ワイヤ３４は、シース２２とライナ２８との間に配置されていて、シース２２とライナ２８とに連結されている。図４により最もよく示されているように、ワイヤの外面３６はシース２２によってカプセル封止され、外面３６の一部はライナ２８に当接する。シース２２、ライナ２８、ワイヤ３４は集合的にコンジット３８を形成する。コンジット３８とコアエレメント３２とは集合的にケーブルを形成する。
【００１３】
リモートコントロールアッセンブリ２０はさらに装着部材４０を有しており、ケーブル、特にコンジット３８は、これら装着部材４０間で支持される。ケーブルと装着部材４０とは集合的に、リモートコントロールアッセンブリ２０を形成する。装着部材４０は、これに限定するものではないがオーバーモールディングのような任意の適切な形式でコンジット３８に装着することができ、装着部材４０はコンジット３８のシース２２に機械的に連結される。または本発明の本質から逸脱することなく、従来の固定装置を使用することもできる。装着部材４０がコンジット３８のシース２２上にオーバーモールディングされる場合、装着部材４０は、ポリマ材料またはプラスチック材料、例えば、ナイロン、テフロン（登録商標）、合成エラストマ、ポリビニル、ポリエチレン、ポリプロピレン、またはこれらのコポリマから成っていてもよい。装着部材４０が、従来の固定装置を使用して、またはその他任意の別の適切な方法を使用して、コンジット３８のシース２２に固定される場合、装着部材４０は、上述したポリマ材料またはプラスチック材料とは異なる材料から成っていてもよいことがわかる。図１に示した装着部材４０は概略的であって、本発明の本質を逸脱することなく、その他様々な装着部材４０を使用することができることがわかる。
【００１４】
各ワイヤ３４の長さは、シース２２の長手方向軸線Ａに実質的に沿っていて、ワイヤ３４は、長手方向軸線Ａを中心として実質的にまっすぐである。換言すると、ワイヤ３４の長さは、ワイヤ３４が、長手方向軸線Ａから連続的な半径方向のスペースを維持するように、長手方向軸線Ａに沿って延びている。本発明の本質から逸脱することがなければ、例えばライナ２８の外側面３０から不整合な突出部が突出しているために、ワイヤ３４が長手方向軸線Ａから連続的な半径方向のスペースを維持していなくともよいことを理解されたい。
【００１５】
図面を通して示されているコンジット３８は３つのワイヤ３４を有しているが、コンジット３８は、本発明の本質を逸脱することなく任意の数のワイヤ３４を有していてもよいことがわかる。さらに、ワイヤ３４は、明細書全体にわたって１つのワイヤ３４として記載されているが、ワイヤ３４の説明は、複数のワイヤ３４が使用される実施形態も想定している。
【００１６】
ワイヤ３４は、図２〜図４に最もよく示されているように、ライナ２８の外側面３０のまわりに螺旋状に巻き付いている。ライナ２８に関するワイヤ３４のピッチは８〜１２インチである。しかしながら、ワイヤ３４のピッチは、本発明の本質から逸脱することなく、８インチ未満または１２インチ以上であってもよいことがわかる。ワイヤ３４は、ライナ２８の外側面３０との連続的な接触を維持している。ライナ２８の外側面３０のまわりへのワイヤ３４の螺旋状の巻付きにより、強度と支持が提供され、コンジット３８を損傷させることなくコンジット３８は、コアエレメント３２に対して曲がることができる。図全体を通して示されているワイヤ３４の螺旋状の巻付きは単なる例であって、本発明の本質から逸脱することなく、別の変化実施例を有していてもよいことがわかる。例えば、図４に示したワイヤ３４の螺旋状の巻付きは、図２および図３に示したワイヤ３４の螺旋状の巻付きを強調して示したものである。しかしながら、ワイヤ３４の螺旋状の巻付きは、本発明の本質から逸脱することなく、図４に示したもの以上であってもよく、図２および図３に示したもの以下であってもよいことがわかる。
【００１７】
図３〜図１０により最もよく示されているように、ワイヤ３４の外面３６は複数のノッチ４２を画定している。複数のノッチ４２は、第１のノッチグループ４４と、第２のノッチグループ４６とに分けられる。複数のノッチ４２は、本発明の本質から逸脱することなく、２つ以上のグループのノッチ４２に分けられてもよいことがわかる。例えば、ワイヤ３４の外面３６は、ワイヤ３４の長さに沿って３つ以上のグループのノッチ４２を画定していてもよい。リモートコントロールアッセンブリ２０の用途に応じて、ワイヤ３４は異なる長さを必要とする場合があり、このことが、ノッチ４２のグループ数にも影響を与えるだろう。
【００１８】
各ノッチ４２は所定の深さを画定している。図全体を通して示されている各ノッチ４２の深さは単なる例であって、本発明の本質から逸脱することがなければ、各ノッチ４２の深さは変化してもよいことがわかる。例えば、図２および図３に示された深さは強調されていて、説明目的で図８〜図１０に示された深さよりも大きい。したがって、各ノッチ４２の深さは、本発明の本質から逸脱することなく変化してもよいことがわかる。
【００１９】
第１のノッチグループ４４および第２のノッチグループ４６における各ノッチ４２は、長手方向軸線Ａに沿って互いの間に第１の距離４８を画定している。１つの実施の形態では、第１の距離４８は約４ミリメートルである。しかしながら、第１の距離４８は様々な要素、例えば極端な温度変化を有する環境、極端な物理的摩耗を有する用途、ライナ２８およびシース２２のサイズのような要素に応じて変化してもよく、したがって、４ミリメートル以上または未満であってもよい。図全体を通して示されている第１の距離４８は単なる例であって、本発明の本質から逸脱することなく、第１の距離４８は変化してもよいこともわかる。
【００２０】
第１のノッチグループ４４および第２のノッチグループ４６は、長手方向軸線Ａに沿って互いの間に第２の距離５０を画定している。１つの実施の形態では、第２の距離５０は約１５２ミリメートルである。しかしながら、第２の距離５０は様々な要素、例えば極端な温度変化を有した環境、極端な物理的摩耗を有する用途、ライナ２８およびシース２２のサイズのような要素に応じて変化してもよく、したがって、１５２ミリメートル以上または未満であってもよいことを理解されたい。ただし、第２の距離５０は、各実施形態において第１の距離４８よりも大きくなければならない。第１のノッチグループ４４と第２のノッチグループ４６との間に画定される第２の距離５０は、リモートコントロールアッセンブリ２０の作動中にワイヤ３４によって発生させられる全ての聞き取れるクラッキングを減じるまたはなくす。
【００２１】
１つの実施形態では、ワイヤ３４の外面３６はワイヤ３４の長さに沿ってほぼ滑らかである。言い換えると、ワイヤ３４は、シース２２の外面２４に向かってワイヤ３４の外面３６を越えて延在する突出部を有していない。換言すると、ワイヤ３４には、シース２２の外面２４に向かってワイヤ３４の外面３６を越えて延在する突出部がないように、ノッチ４２は全てワイヤ３４の外面３６の下側に形成されている。ノッチ４２が全てワイヤ３４の外面３６の下側に形成されている場合、ワイヤ３４はライナ２８の連続的な支持を提供し、このことはライナ２８の内径のばらつきを減じることができる。別の実施形態では、以下にさらに詳しく説明するように、外面３６の一部が、シース２２の外面２４に向かって、外面３６の残りの部分から半径方向に突出するノッチ４２を画定されてもよいことがわかる。
【００２２】
第１のノッチグループ４４は、第１ノッチ列５２と、この第１ノッチ列５２から半径方向に間隔を置いて位置する第２ノッチ列５４とを、ワイヤ３４の外面３６に沿って有している。換言すると、第１ノッチ列５２と第２ノッチ列５４とは、任意の所望の角度で互いに半径方向で間隔を置いて位置していてもよい。１つの実施形態では、第１ノッチ列５２は、第２ノッチ列５４から半径方向で１８０度の間隔を置いて位置している。しかしながら、第１ノッチ列５２と第２ノッチ列５４とは、本発明の本質から逸脱することなく、互いに１８０度未満の半径方向の間隔を置いて位置していてもよいことがわかる。さらにワイヤ３４は、本発明の本質から逸脱することなく、第１ノッチ列５２および第２ノッチ列５４以上に画定されていてもよいことがわかる。例えばワイヤ３４は、本発明の本質を逸脱することなく、長手方向軸線Ａを中心として互いに半径方向で間隔を置いて位置する３つ以上のノッチ４２の列を画定することもできる。
【００２３】
１つの実施形態では、図６および図７に最もよく示されているように、第１ノッチ列５２と第２ノッチ列５４とは互いに半径方向で１８０度の間隔を置いて位置していて、第１ノッチ列５２の各ノッチ４２は、長手方向軸線Ａに関して、長手方向軸線Ａに沿って、第２ノッチ列５４の各ノッチ４２とはずらされている。第２ノッチ列５４から第１ノッチ列５２をずらすことにより、ワイヤ３４は、構造的結合性を維持する。第１ノッチ列５２と第２ノッチ列５４とが、長手方向軸線Ａに関して長手方向軸線Ａに沿って互いに整列していたならば、第１ノッチ列５２と第２ノッチ列５４のノッチ４２が長手方向軸線Ａに沿って整列するところで、ワイヤ３４の直径が減少してしまう。さらに、図６および図７に最もよく示されているように、ワイヤ３４は、第２ノッチ列５４の少なくとも２つのノッチ４２の間に配置された第１ノッチ列５２の少なくとも１つのノッチ４２を有している。
【００２４】
第１ノッチ列５２の各ノッチ４２は、長手方向軸線Ａに沿って互いに等間隔を置いて配置されている。同様に、第２ノッチ列５４の各ノッチ４２は、長手方向軸線Ａに沿って互いに等間隔を置いて配置されている。第２のノッチグループ４６も、第１ノッチ列５２と、この第１ノッチ列５２から半径方向に間隔を置いて位置する第２ノッチ列５４とを、ワイヤ３４の外面３６に沿って有している。第１のノッチグループ４４と第２のノッチグループ４６両方の第１ノッチ列５２は互いに対応している。換言すると、第１のノッチグループ４４の第１ノッチ列５２と第２のノッチグループ４６の第１ノッチ列５２とは、外面３６に沿って、かつワイヤ３４の長さに沿って互いに整列している。同様に、第１のノッチグループ４４の第２ノッチ列５４と第２のノッチグループ４６の第２ノッチ列５４とは、外面３６に沿って、かつワイヤ３４の長さに沿って互いに整列している。
【００２５】
同様に、第２のノッチグループ４６の第１ノッチ列５２の各ノッチ４２は、長手方向軸線Ａに沿って他のノッチ４２から等間隔を置いて位置していて、第２のノッチグループ４６の第２ノッチ列５４の各ノッチは、長手方向軸線Ａに沿って他のノッチから等間隔を置いて位置している。上述したように、複数のノッチ４２は、ノッチ４２の２つ以上のグループに分けられてもよく、これにより結果的に、ノッチ４２の２つ以上の第１の列と、ノッチ４２の２つ以上の第２の列とが生じる。
【００２６】
ワイヤ３４にシース２２を固定するために、シース２２の一部がワイヤ３４のノッチ４２内に配置される。言い換えると、ノッチ４２はキャビティ５８を画定する内面５６を有していて、シース２２の一部がこのキャビティ５８を完全に埋めている。ワイヤ３４のノッチ４２内に配置されたシース２２の一部は、ワイヤ３４をシース２２に固定する。１つの実施形態では、シース２２はワイヤ３４の上にオーバーモールディングされていてもよく、これにより、シース２２の一部はワイヤ３４のノッチ４２内に位置することができる。
【００２７】
本発明の１つの実施形態では、図６および図８により最もよく示されているように、ノッチ４２の内面５６とワイヤ３４の外面３６の交差部が、楕円形の外周６０を形成している。ノッチ４２の内面５６とワイヤ３４の外面３６とは、本発明の本質を逸脱することなく、円形または四角形のような任意の形状の外周を形成してもよいが、このような形状に限定されるものではないことがわかる。
【００２８】
１つの実施形態では、ノッチ４２の内面５６とワイヤ３４の外面３６の交差部が、隆起部６２を形成し、画定している。図全体を通して示したように、このような隆起部６２の実施形態では、隆起部６２は直角である。言い換えれば、ノッチ４２の内面５６は交差部において長手方向軸線Ａに対して直角であり、ワイヤ３４の外面３６は交差部において長手方向軸線Ａに対して平行であり、これにより内面５６と外面３６とは直角を成す。別の実施形態では、内面５６と外面３６の交差部により形成される隆起部６２は、シース２２の外面２４に向かって、外面３６から半径方向に突出していてもよいことがわかる。このような実施形態では、隆起部６２は、ワイヤ３４の外面３６からシース２２の外面２４に向かって延在する複数の歯であってもよい。
【００２９】
１つの実施形態では、図７、図９および図１０に最もよく示されているように、ノッチ４２の内面５６はほぼ滑らかである。言い換えると、内面５６は、ワイヤ３４の外面３６に向かって内面５６を越えて延在する突出部を有さない。しかしながら、図１１および図１２に示したように、別の実施形態では、ワイヤ３４の内面５６は複数の刻み目６４を画定していてもよいことがわかる。図１２に示したように、シース２２の一部は、ワイヤ３４の内面５６内に画定された刻み目６４を完全に埋めている。刻み目６４を完全に埋めているシース２２は、ワイヤ３４にシース２２を固定するのにさらに役立つ。
【００３０】
複数のノッチ４２は、ワイヤ３４がシース２２との連続的な係合を維持するのに役立つ。シース２２に対するワイヤ３４の連続的な係合により、挿入後、装着部材４０からシース２２が収縮して外れる、しばしばシュリンクバックとも呼ばれるリスクが減じられる、またはなくなる。シュリンクバックが生じる環境では、コンジット３８上に装着部材４０を挿入するのがより困難である。換言すると、シュリンクバックが生じると、シース２２の外面３６のより小さな部分しか装着部材４０への連結のために利用できない。さらに、コンジット内で露出したワイヤ３４は、装着部材４０をそのまわりにモールディングするためにシース２２の端部が配置されている型に損傷を与える恐れがある。
【００３１】
シース２２にワイヤ３４を良好に固定するために、図３〜図５および図１０に最もよく示されているように、ワイヤ３４は、第１ノッチ列５２も第２ノッチ列５４もライナ２８に面していないように配置されている。ワイヤ３４が、第１ノッチ列５２も第２ノッチ列５４もライナ２８に面していないように配置される場合、シース２２は、図５に示されたように、第１ノッチ列５２と第２ノッチ列５４との両方を充填する。シース２２が、第１ノッチ列５２と第２ノッチ列５４との両方を充填する場合、ワイヤ３４はシース２２に良好に固定される。しかしながら、第１ノッチ列５２または第２ノッチ列５４の一方がライナ２８に面している場合は、第１ノッチ列５２または第２ノッチ列５４の他方が、シース２２の一部により充填されて、ワイヤをシース２２に固定する。ワイヤ３４の向き、ひいてはライナ２８に関するノッチ４２に関係なく、シース２２は複数のノッチ４２の少なくとも一部を充填するので、このような構成は有利であり、コンジット３８の製造を容易にする。
【００３２】
図全体を通して、ライナ２８、ワイヤ３４、およびシース２２の構造は単なる一例であり、ライナ２８、ワイヤ３４、およびシース２２の様々な構成要素は、一定の縮尺で描かれていなくてもよいことがわかる。さらに、本発明の本質を逸脱することなく、ライナ２８、ワイヤ３４、およびシース２２の変化実施例を、リモートコントロールアッセンブリ２０において使用することができる。例えば、ライナ２８は、図全体を通して示された厚さよりも厚いまたは薄い厚さを有していてもよい。同様に、シース２２も、図全体を通して示された厚さよりも厚いまたは薄い厚さを有していてもよい。同様に、ワイヤ３４は、図全体を通して示された太さよりも太いまたは細い直径を有していてもよい。さらに、ワイヤ３４のノッチ４２は、ノッチ４２の深さが、図全体を通して示されたものよりも、ワイヤ３４の直径のより大きな部分を占めるように、さらにワイヤ３４内へと画定されてもよい。またはワイヤ３４のノッチ４２は、ノッチ４２の深さが図全体を通して示されたものよりも、ワイヤ３４の直径のより少ない部分を占めるように、ワイヤ３４内により小さく画定されてもよい。
【００３３】
本発明が例示的な形式で説明された。使用されている用語は限定の性質ではなく説明の文言の性質であることが意図されていると理解される。上記説明に照らして本発明の多くの修正および変更が可能であり、本発明は具体的に記載された以外の方法で実施されてもよい。
【図１】
0006602890.tif 000002
【図２】
0006602890.tif 000003
【図３】
0006602890.tif 000004
【図４】
0006602890.tif 000005
【図５】
0006602890.tif 000006
【図６】
0006602890.tif 000007
【図７】
0006602890.tif 000008
【図８】
0006602890.tif 000009
【図９】
0006602890.tif 000010
【図９Ａ】
0006602890.tif 000011
【図１０】
0006602890.tif 000012
【図１１】
0006602890.tif 000013
【図１２】
0006602890.tif 000014